(57)【要約】本発明のネットワークシステムは、複数のストレージ装置とＤＳＣとをネットワーク接続することで構築され、ＤＳＣで撮影された画像データをダイレクトコピーする。ストレージ装置の前面には、ＰｏｗｅｒＬＥＤ，ＲｅａｄｙＬＥＤからなる操作可能表示用ＬＥＤ及びＢｕｓｙＬＥＤ，ＥｒｒｏｒＬＥＤからなる動作状況表示ＬＥＤの他に、ＤＳＣの機能スイッチにより操作対象として選択されたかどうかを示す専用のＬＥＤが設けられ、簡単にネットワーク上で制御装置により操作対象として選択されている被制御装置を識別することを可能とする。【特許請求の範囲】
【請求項１】
ネットワーク接続された複数の被制御装置及び制御装置から構築されるネットワークシステムにおいて、
前記制御装置は、前記複数の被制御装置のうち操作対象となる被制御装置を選択する選択手段を有し、
前記被制御装置は、前記選択手段で選択されたことを識別可能に表示する表示手段を有した
ことを特徴とするネットワークシステム。
【請求項２】
前記制御装置は、撮像装置である
ことを特徴とする請求項１に記載のネットワークシステム。
【請求項３】
前記被制御装置は、少なくとも１つのストレージ装置からなる
ことを特徴とする請求項１に記載のネットワークシステム。
【請求項４】
前記ストレージ装置は、データが記録再生可能なメディアに対してデータを記録再生するデータ記録再生装置である
ことを特徴とする請求項３に記載のネットワークシステム。
【請求項５】
前記メディアは光磁気ディスクであって、前記データ記録再生装置は前記光磁気ディスクに対してデータを記録再生する光磁気ディスク装置である
ことを特徴とする請求項４に記載のネットワークシステム。
【請求項６】
前記メディアは相変化型ディスクであって、前記データ記録再生装置は前記相変化型ディスクに対してデータを記録再生する相変化型ディスク装置である
ことを特徴とする請求項４に記載のネットワークシステム。
【請求項７】
前記メディアは磁気記録ディスクであって、前記データ記録再生装置は前記磁気記録ディスクに対してデータを記録再生する磁気記録ディスク装置である
ことを特徴とする請求項４に記載のネットワークシステム。
【請求項８】
前記メディアは半導体メモリであって、前記データ記録再生装置は前記半導体メモリに対してデータを記録再生する半導体メモリ装置である
ことを特徴とする請求項４に記載のネットワークシステム。
【請求項９】
前記半導体メモリはフラッシュメモリである
ことを特徴とする請求項８に記載のネットワークシステム。
【請求項１０】
前記メディアは、前記データ記録再生装置に対して着脱自在である
ことを特徴とする請求項５または６に記載のネットワークシステム。
【請求項１１】
ネットワーク接続された複数の被制御装置及び制御装置から構築されるネットワークシステムの操作対象装置識別方法において、
前記複数の被制御装置のうち操作対象となる被制御装置を選択する選択ステップと、
前記選択ステップで選択されたことを被制御装置の表示手段に識別可能に表示させる表示ステップと
を備えたことを特徴とするネットワークシステムの操作対象装置識別方法。
【発明の詳細な説明】
【技術分野】    本発明は、複数の被制御装置と制御装置とをネット接続したネットワークシステム及びネットワークシステムの操作対象装置識別方法に関する。
【背景技術】    近年、パーソナルコンピュータやファクシミリの家庭への普及や、各種家庭用映像機器のデジタル化に伴い、このような映像用あるいは通信用の個々の機器を接続するためのＩＥＥＥ１３９４をはじめとするネットワークが提案されている。このネットワークを利用すると、個々の機器を有機的に結合することにより、機器単体ではなしえなかった機能を実現することができる。また、単に接続線を繋ぐだけで、機器間の物理的接続が完了するので、従来アナログの映像信号を機器間で伝送する際に生じていた、接続作業の困難性や、設定の煩雑さや、ノイズによる信号の質の低下等に関する問題も解決される。そこで、現在、急速に普及し始めているデジタルカメラもこれらネットワークに接続することが提案されている。
ネットワーク接続された例えばデジタルカメラにおいては、電源オン／オフに連動する、または装置の初期化が終了し、動作が可能になったことを示す操作可能表示や、ホストからのコマンド実行中やエラー発生を示す動作状況表示ができるものがある。
例えば日本国特開平１１−２６６３７８号公報において、接続されている機能（装置）の一覧を表示することができ、これら機能を選択することのできるデジタルカメラが提案されている。
しかしながら、従来のホストにおいては、機能操作を開始しないと、ネットワークでホストと接続された周辺装置が操作対象の装置となっているかどうかが分からず、この場合、例えばネットワーク接続された周辺装置で誤ってファイル等を削除してしまうと、ホストでは削除動作時の表示で始めてその誤りが確認できるため、確認時にはファイルの削除が実行されているため手遅れになるといった問題がある。また、操作対象としていない周辺装置が追記型のメディアに情報を記録する記録装置の場合には、誤ってこの記録装置に対して書き込みを実行すると、追記型のメディアにデータが書き込まれ、該メディアが使用できなくなるといった問題もある。
ホストがパーソナルコンピュータ（パソコン）のように大画面、高性能の装置の場合には、画面上でアイコンを装置種別毎に変えたり、各装置の詳細を表示させることで、上記のような問題はある程度回避可能であるが、全く同一の装置を複数台接続した場合には、実際にどの装置が選択されているかがユーザが視認できないために、これらの問題の回避が難しくなる。
また、ホストがデジタルカメラや携帯端末といった小画面、低機能の装置に場合には、画面や機能の問題からパソコンのような識別方法を提供できないため、上記のような問題が生じる。
本発明は、上記事情に鑑みてなされたものであり、簡単にネットワーク上で制御装置により操作対象として選択されている被制御装置を識別することのできるネットワークシステム及びネットワークシステムの操作対象装置識別方法を提供することを目的としている。
【発明の開示】
本発明のネットワークシステムは、ネットワーク接続された複数の被制御装置及び制御装置から構築されるネットワークシステムにおいて、前記制御装置が前記複数の被制御装置のうち操作対象となる被制御装置を選択する選択手段を有し、前記被制御装置が前記選択手段で選択されたことを識別可能に表示する表示手段を有しを備えて構成される。
本発明のその他の特徴及び利益は、次の説明を以て十分明白になるであろう。
【図面の簡単な説明】    図１ないし図６は本発明の第１の実施例に係わり、図１はネットワークシステムの構成例を示す図、図２は図１のＤＳＣの背面構成を示す図、図３は図１のストレージ装置の前面構成を示す図、図４は図１のＤＳＣでの処理の流れを示す図、図５は図４の処理においてＤＳＣの液晶表示部に表示される画面を示す図、図６は図１のストレージ装置での処理の流れを示す図である。
図７ないし図９は本発明の第２の実施例に係わり、図７はストレージ装置の前面構成を示す図、図８は図７のストレージ装置とネット接続されるＤＳＣでの処理の流れを示す図、図９は図７のストレージ装置での処理の流れを示す図である。
図１０及び図１１は本発明の第３の実施例に係わり、図１０はＤＳＣでの処理の流れを示す図、図１１は図１０のＤＳＣにネット接続されるストレージ装置での処理の流れを示す図である。
図１２ないし図１８は本発明の第４の実施例に係わり、図１２はストレージ装置の前面構成を示す図、図１３は図１２のストレージ装置とネット接続されるＤＳＣでの処理の流れを示す図、図１４は図１３の処理においてＤＣＳの液晶表示部に表示される第１の画面を示す図、図１５は図１３の処理においてＤＣＳの液晶表示部に表示される第２の画面を示す図、図１６は図１２のストレージ装置での処理の流れを示す図、図１７は図１６の処理においてＤＣＳの液晶表示部に表示される第１の画面を示す図、図１８は図１６の処理においてＤＣＳの液晶表示部に表示される第２の画面を示す図である。
発明を実施するための最良な形態
本発明をより詳細に説述するために、添付の図面に従ってこれを説明する。
第１の実施例：
図１に示すように、本実施例のネットワークシステム１１は、複数のストレージ装置、例えば２台の第１ストレージ装置１及び第２ストレージ装置２とデジタルスチルカメラ（以下、ＤＳＣ）３とをネットワーク接続することで構築され、ＤＳＣ３で撮影された画像データをダイレクトコピーするようになっている。
なお、撮像装置として、単体で被写体を撮像することにより被写体の画像を表示するデジタカメラを用いて説明しているが、これに限らず、携帯電話器やＰＤＡ（Ｐｅｒｓｏｎａｌ  Ｄｉｇｉｔａｌ  Ａｓｓｉｓｔａｎｔ）等の通信機能を有する携帯端末装置に搭載されるデジタカメラも含まれる。
図２に示すように、ＤＳＣ３の背面には、撮影した画像を表示したり各種設定画面を表示する液晶表示部４と、ＤＳＣ３で撮影された画像データや第１ストレージ装置１及び第２ストレージ装置２に格納されている画像データ等をこれら装置間でダイレクトコピーする際等のコピー元及びコピー先等の操作対象設定やその他ＤＳＣ３での撮影時の各種機能の設定を行うための（選択手段としての）機能スイッチ５が設けられている。
また、図３に示すように、第１ストレージ装置１及び第２ストレージ装置２の前面には、ＰｏｗｅｒＬＥＤ７，ＲｅａｄｙＬＥＤ８からなる操作可能表示用ＬＥＤ及びＢｕｓｙＬＥＤ９，ＥｒｒｏｒＬＥＤ１０からなる動作状況表示ＬＥＤの他に、ＤＳＣ３の機能スイッチ５により操作対象として選択されたかどうかを示す（表示手段としての）専用のＬＥＤ６が設けられている。
なお、第１ストレージ装置１及び第２ストレージ装置２は、画像データ等のデータを記録再生する情報記録再生装置であって、例えば図示しないメディアとしての光磁気ディスク（ＭＯディスク：Ｍａｇｎｅｔｏ−Ｏｐｔｉｃａｌ  Ｄｉｓｋ）にデータを記録再生する光磁気ディスク装置、例えば図示しないメディアとしての相変化型ディスクであるＤＶＤ（Ｄｉｇｉｔａｌ  Ｖｅｒｓａｔｉｌｅ  Ｄｉｓｋ）にデータを記録再生する相変化型ディスク装置、また図示しないメディアとしての磁気記録ディスクであるハードディスク（Ｈａｒｄ  Ｄｉｓｋ）にデータを記録再生するハードディスク装置、さらには図示しないメディアとしての半導体メモリであるフラッシュメモリ（ＦＬＡＳＨ  ＭＥＭＯＲＹ）にデータを記録再生する半導体メモリ装置である。
また、情報記録再生装置においては、メディアである光磁気ディスク及び相変化型ディスクは着脱自在に構成され、可搬なメディアとすることができる。なお、メディアである半導体メモリであるフラッシュメモリも着脱自在に構成可能であって可搬なメディアとすることができる。
このように構成されたネットワークシステム１１では、まずＤＳＣ３において、図４に示すように、ステップＳ１にてＤＳＣ３の機能スイッチ５及び液晶表示部４を用いることでユーザにより、操作対象としてのストレージ装置の選択が行なわれたかどうか判断する。
このステップＳ１においてストレージ装置の選択が行われる際には、液晶表示部４に図５に示すような操作対象装置選択画面２１の表示が行われ、機能スイッチ５を操作することで第１ストレージ装置１または第２ストレージ装置２を選択する。
ＤＳＣ３でストレージ装置の選択が行われると、ステップＳ２にて選択されなかったストレージ装置に操作対象の指定を解除するロック解除命令がＤＳＣ３から送信され、ステップＳ３にて選択されたストレージ装置に操作対象の指定を実行するロック命令がＤＳＣ３から送信されて、ステップＳ４に進み、ストレージ装置の選択がなされない場合にはステップＳ１から直接ステップＳ４に処理が移行される。
ＤＳＣ３は、被写体を撮影する撮影モードと、撮影した被写体の画像データのファイルをダイレクトコピーする等の操作が可能なファイル操作モードの２つの機能モードを少なくとも有しており、ステップＳ４においてはＤＳＣ３の機能モードがファイル操作モードかどうか判断し、ファイル操作モードならばステップＳ５にてユーザが機能スイッチ５及び液晶表示部４を用いて指定したファイル操作を実行しステップＳ１に戻り、ファイル操作モードでないならばそのままステップＳ１に戻る。
コピー元の装置及びコピー先の装置が選択されるとコピー元の装置からコピー先の装置へのデータのコピー処理が開始される。
一方、ストレージ装置側（第１ストレージ装置１または第２ストレージ装置２）では、図６に示すように、ステップＳ１１にてＤＳＣ３からロック解除命令を受信したかどうか判断し、ロック解除命令を受信するとステップＳ１２でメディアのイジェクトを許可すると共に、ＬＥＤ６を消灯しステップＳ１３に進み、ロック解除命令の受信がない場合にはそのままステップＳ１１からステップＳ１３に処理を移行する。
続いて、ストレージ装置側では、ステップＳ１３にてＤＳＣ３からロック命令を受信したかどうか判断し、ロック命令を受信するとステップＳ１４でメディアのイジェクトを禁止すると共に、ＬＥＤ６を点灯しステップＳ１５に進み、ロック解除命令の受信がない場合にはそのままステップＳ１１からステップＳ１５に処理を移行する。
そして、ステップＳ１５にてＤＳＣ３からファイル操作命令が送信されたかどうか判断し、ファイル操作命令が送信されてきたらステップＳ１６にて操作対象となっているストレージ装置でファイル操作命令に従いファイル操作（例えばダイレクトコピー）を実行しステップＳ１１に戻り、ファイル操作命令が送信されてこないならばそのままステップＳ１１に戻る。
ＤＳＣ３と第１ストレージ装置１あるいは第２ストレージ装置２を接続するネットワークは、ＵＳＢ，ＩＥＥＥ１３９４，イーサネット等の有線でも、ＢｌｕｅｔｏｏｔｈやＩＥＥＥ８０２．１１等の無線でもよい。
なお、ストレージ装置の選択時に、ロック命令／ロック解除命令を使用しメディアのイジェクト禁止／許可を同時に行うとしたが、ロック命令／ロック解除命令でＬＥＤ６の点灯／消灯のみを行うようにしてもよく、またネットワークシステム１１にネットワーク接続されている他の装置からの命令実行の禁止／許可をロック命令／ロック解除命令を使用して行うようにしてもよい。
また、ファイル操作が終了すると同時にロック解除命令を操作対象となった装置に発効してもよく、ＤＳＣ３がファイル操作モードから撮影モード等の他のモードに移行した場合には、自動的にロック解除命令を操作対象となった装置に発効してもよい。
ＤＳＣ３の電源が切られたり、ＤＳＣ３と第１ストレージ装置１あるいは第２ストレージ装置２を接続するケーブルが抜かれて通信が途絶えた場合は、ストレージ側はステップＳ１２と同等の動作を実行してもよい。無線ＬＡＮの場合でＤＳＣ３と第１ストレージ装置１あるいは第２ストレージ装置２の距離が離れた場合等で通信が途絶えた場合も、ストレージ側はステップＳ１２と同等の動作を実行してもよい。
第１ストレージ装置１及び第２ストレージ装置２の他に、ネットワークシステム１１にプリンタをネットワーク接続し、ストレージ装置へのデータの保存とプリンタでのプリントを同時に行う場合には、操作対象となるストレージ装置及びプリンタの両方をＤＳＣ３で選択し、選択された操作対象の装置側のＬＥＤを点灯させるようにしてもよい。
このように本実施例では、ストレージ装置は操作対象として選択されている間中、専用のＬＥＤ６を点灯させるので、簡単にネットワーク上でＤＳＣにより操作対象として選択されているストレージ装置を識別することができる。
なお、ストレージ装置が操作対象であることを識別する手段としてＬＥＤ６を用いたが、これに限らず、ストレージ装置にスピーカやバイブレーション機能を持たせて音や振動により操作対象であることを識別することができるように構成してもよい。また、ＤＳＣに加え携帯端末を無線等でネット接続してネットワークシステムを構築してもよい。
制御側は、表示部と操作部を有し、撮影機能を有さないストレージ装置でもよい。
第２の実施例：
第２の実施例は、第１の実施例とほとんど同じであるので、異なる点のみ説明し、同一の構成には同じ符号をつけ説明は省略する。
本実施例では、操作対象としてのストレージ装置の前面には、図７に示すように、ＰｏｗｅｒＬＥＤ７，ＲｅａｄｙＬＥＤ８からなる操作可能表示用ＬＥＤ及びＢｕｓｙＬＥＤ９，ＥｒｒｏｒＬＥＤ１０からなる動作状況表示ＬＥＤのみで、第１の実施例のようなＤＳＣ３の機能スイッチ５により操作対象として選択されたかどうかを示す専用のＬＥＤ６は設けられていない。その他の構成は第１の実施例と同じである。
このように構成された本実施例では、図８に示すように、まず、ＤＳＣ３において、ステップＳ３１で（第１の実施例のステップＳ１と同様に）ＤＳＣ３の機能スイッチ５及び液晶表示部４を用いることでユーザにより、操作対象としてのストレージ装置の選択が行なわれたかどうか判断する。
次にステップＳ３２にて機能スイッチ５によりストレージ装置の選択に変更があるかどうか判断する。ストレージ装置の選択に変更あると、ステップＳ３３にて変更後の選択されなかったストレージ装置にＲｅａｄｙＬＥＤ８の表示状態をオフ状態する命令である表示オフ命令を送信し、ステップＳ３４にて変更後の選択されたストレージ装置にＲｅａｄｙＬＥＤ８の表示状態をオン状態する命令である表示オン命令を送信し、ステップＳ３５にて機能スイッチ５によりストレージ装置の選択の決定がなされたかどうか判断し、決定がないとステップＳ３２に戻り、決定がなされるとステップＳ３６に進む。なお、ストレージ装置の選択に変更がない場合にはステップＳ３２からステップＳ３５に処理が直接移行する。
そして、ステップＳ３６にて決定後の選択されたストレージ装置に表示オフ命令を送信しステップＳ３７に進む。なお、ストレージ装置の選択がなされない場合には、ステップＳ３１からステップＳ３７に処理が直接移行する。
そして、ステップＳ３７及びＳ３８にて（第１の実施例のステップＳ４及びＳ５と同様に）ＤＳＣ３の機能モードがファイル操作モードかどうか判断し、ファイル操作モードならばユーザが機能スイッチ５及び液晶表示部４を用いて指定したファイル操作を実行しステップＳ３１に戻り、ファイル操作モードでないならばそのままステップＳ３１に戻る。
一方、ストレージ装置側（第１ストレージ装置１または第２ストレージ装置２）では、図９に示すように、ステップＳ４１にてＤＳＣ３から表示オフ命令を受信したかどうか判断し、表示オフ命令を受信するとステップＳ４２でＲｅａｄｙＬＥＤ８の点灯状態を選択対象でないＬＥＤ表示にしステップＳ４３に進み、表示オフ命令の受信がない場合にはそのままステップＳ４１からステップＳ４３に処理を移行する。
次に、ステップＳ４３にてＤＳＣ３から表示オン命令を受信したかどうか判断し、表示オン命令を受信するとステップＳ４４でＲｅａｄｙＬＥＤ８の点灯状態を選択対象であるＬＥＤ表示にしステップＳ４５に進み、表示オン命令の受信がない場合にはそのままステップＳ４３からステップＳ４５に処理を移行する。
本実施例ではＲｅａｄｙＬＥＤ８は点灯状態としてネットワーク接続されると、例えば緑色に点灯している。ステップＳ４２ではＲｅａｄｙＬＥＤ８を点灯状態を緑色点灯にすることで、選択対象となっていない状態表示にする。選択対象となったステップＳ４４の場合には、ＲｅａｄｙＬＥＤ８を点滅させたり、緑色から例えば赤色に色変更して表示することで選択対象となっている状態表示にする。
そして、ステップＳ４５にてＤＳＣ３からファイル操作命令が送信されたかどうか判断し、ファイル操作命令が送信されてきたらステップＳ４６にて操作対象となっているストレージ装置でファイル操作命令に従いファイル操作（例えばダイレクトコピー）を実行しステップＳ４１に戻り、ファイル操作命令が送信されてこないならばそのままステップＳ４１に戻る。
このように本実施例では、第１の実施例の効果に加え、操作対象としての選択操作が行われいる間のみ、ＲｅａｄｙＬＥＤ８を選択対象であるＬＥＤ表示にするので、専用のＬＥＤを設けることなく、簡単にネットワーク上でＤＳＣにより操作対象として選択されているストレージ装置を識別することができる。なおＲｅａｄｙＬＥＤ８以外のＬＥＤを使用してもよい。
第３の実施例：
第３の実施例は、第２の実施例と構成は同じであるので、異なる点のみ説明する。第２の実施例では操作対象として選択されたかどうかを示すＬＥＤとしてＲｅａｄｙＬＥＤ８を用いたが、本実施例では動作状況表示ＬＥＤ、例えばＢｕｓｙＬＥＤ９を用いる。
本実施例では、図１０に示すように、まず、ＤＳＣ３において、ステップＳ５１にてＤＳＣ３の機能スイッチ５及び液晶表示部４を用いることでユーザにより、操作対象としてのストレージ装置の選択が行なわれたかどうか判断し、操作対象としてのストレージ装置の選択が行われると、ステップＳ５２にて選択したストレージ装置を操作対象としステップＳ５３に進み、操作対象としてのストレージ装置の選択が行われない場合はそのままステップＳ５３に進む。
そして、ステップＳ５３にてＤＳＣ３の機能モードがファイル操作モードかどうか判断し、ファイル操作モードならばステップＳ５４にて選択されたストレージにＢｕｓｙＬＥＤ９の表示状態をオン状態する命令である表示オン命令を送信する。そしてステップＳ５５にて機能スイッチ５によりファイル操作の続行が指示されたかどうか判断し、続行が指示されるとステップＳ５６にてユーザが機能スイッチ５及び液晶表示部４を用いて指定したファイル操作を実行しステップＳ５１に戻り、続行がキャンセルされるとステップＳ５７にて選択されたストレージにＢｕｓｙＬＥＤ９の表示状態をオフ状態する命令である表示オフ命令を送信しステップＳ５１に戻る。なお、ＤＳＣ３の機能モードがファイル操作モードでないならばステップＳ５３からステップＳ５１に戻る。
一方、ストレージ装置側（第１ストレージ装置１または第２ストレージ装置２）では、図１１に示すように、ステップＳ６１にてＤＳＣ３から表示オフ命令を受信したかどうか判断し、表示オフ命令を受信するとステップＳ６２でＢｕｓｙＬＥＤ９の点灯状態を選択対象でないＬＥＤ表示にしステップＳ６３に進み、表示オフ命令の受信がない場合にはそのままステップＳ６１からステップＳ６３に処理を移行する。
次に、ステップＳ６３にてＤＳＣ３から表示オン命令を受信したかどうか判断し、表示オン命令を受信するとステップＳ６４でＢｕｓｙＬＥＤ９の点灯状態を選択対象であるＬＥＤ表示にしステップＳ６５に進み、表示オン命令の受信がない場合にはそのままステップＳ６３からステップＳ６５に処理を移行する。
そして、ステップＳ６５にてＤＳＣ３からファイル操作命令が送信されたかどうか判断し、ファイル操作命令が送信されてきたらステップＳ６６にて操作対象となっているストレージ装置でファイル操作命令に従いファイル操作（例えばダイレクトコピー）を実行し、ステップＳ６７にてＢｕｓｙＬＥＤ９の点灯状態を選択対象でないＬＥＤ表示にし、ステップＳ６１に戻り、ファイル操作命令が送信されてこないならばそのままステップＳ６１に戻る。
このように本実施例では、第２の実施例ほぼ同様な効果を得ることができ、ファイル操作開始前の動作続行確認時のみ、ＢｕｓｙＬＥＤ９を選択対象であるＬＥＤ表示にするので、専用のＬＥＤを設けることなく、簡単にネットワーク上でＤＳＣにより操作対象として選択されているストレージ装置を識別することができる。
なおＢｕｓｙＬＥＤ９以外のＬＥＤを使用してもよい。表示オフの制御をステップＳ５６前後どちらかでＤＳＣ３がステップＳ５７と同じ「表示オフ命令送信」を行ってもよい
第４の実施例：
第４の実施例は、第１の実施例とほとんど同じであるので、異なる点のみ説明し、同一の構成には同じ符号をつけ説明は省略する。
本実施例では、実施例１のようなＤＳＣ３の機能スイッチ５により操作対象として選択されたかどうかを示す専用のＬＥＤ６の代わりに、図１２に示すように、選択状態や処理状態を表示する液晶表示部１５が設けられている。その他の構成は第１の実施例と同じである。
また本実施例ではＤＳＣからストレージへのコピーの他に、ストレージからＤＳＣへのコピー、ストレージ間のコピーができるようになっている。
本実施例では、図１３に示すように、まず、ＤＳＣ３において、ステップＳ７１にてＤＳＣ３の機能スイッチ５及び液晶表示部４における図１４の画面表示２２を用いることでユーザにより、コピー元のストレージ装置の選択が行なわれたかどうか判断し、コピー元のストレージ装置の選択が行われると、ステップＳ７２にて選択したストレージ装置にコピー元であることを液晶表示部１５に表示させるコピー元表示命令を送信しステップＳ７３に進み、コピー元のストレージ装置の選択が行われない場合はそのままステップＳ７３に進む。
ステップＳ７３では、ＤＳＣ３の機能スイッチ５及び液晶表示部４における図１５の画面表示２３を用いることでユーザにより、コピー先のストレージ装置の選択が行なわれたかどうか判断し、コピー先のストレージ装置の選択が行われると、ステップＳ７４にて選択したストレージ装置にコピー先であることを液晶表示部１５に表示させるコピー先表示命令を送信しステップＳ７５に進み、コピー先のストレージ装置の選択が行われない場合はそのままステップＳ７５に進む。
そして、ステップＳ７５及びＳ７６にて（第１の実施例のステップＳ４及びＳ５と同様に）ＤＳＣ３の機能モードがファイル操作モードかどうか判断し、ファイル操作モードならばユーザが機能スイッチ５及び液晶表示部４を用いて指定したファイル操作を実行しステップＳ７１に戻り、ファイル操作モードでないならばそのままステップＳ７１に戻る。
一方、ストレージ装置側（第１ストレージ装置１または第２ストレージ装置２）では、図１６に示すように、ステップＳ８１にてＤＳＣ３からコピー元表示命令を受信したかどうか判断し、コピー元表示命令を受信するとステップＳ８２にてコピー元であることを液晶表示部１５に表示しステップＳ８３に進み、コピー元表示命令を受信しない場合はそのままステップＳ８３に進む。
そして、ステップＳ８３にてＤＳＣ３からコピー先表示命令を受信したかどうか判断し、コピー先表示命令を受信するとステップＳ８４にてコピー先であることを液晶表示部１５に表示しステップＳ８５に進み、コピー先表示命令を受信しない場合はそのままステップＳ８５に進む。
次に、ステップＳ８５にてＤＳＣ３からファイル操作命令が送信されたかどうか判断し、ファイル操作命令が送信されてきたらステップＳ８６にてコピー元ストレージ装置かどうか判断する。
コピー元ストレージ装置ならばステップＳ８７にて液晶表示部１５に図１７に示すようにファイル送信中であることを示す画面２４を表示しステップＳ８９に進み、コピー元ストレージ装置でないならばステップＳ８８にて液晶表示部１５に図１８に示すようにファイル保存中であることを示す画面２５を表示しステップＳ８９に進む。
そして、ステップＳ８９にてＤＳＣ−ストレージまたはストレージ装置間でファイル操作命令に従いファイル操作（例えばダイレクトコピー）を実行し、ステップＳ９０に液晶表示部１５の表示を消し、ステップＳ８１に戻る。
なお、ステップＳ８５にてファイル操作命令が送信されてこないならばそのままステップＳ８１に戻る。
このように本実施例では、第１の実施例の効果に加え、液晶表示部１５にストレージ装置の状態表示を詳細に表示できるので、簡単にネットワーク上でＤＳＣにより操作対象として選択されているストレージ装置の状態をより詳細に識別することができる。
この発明においては、広い範囲において異なる実施態様が、発明の精神及び範囲から逸脱することなく、この発明に基づいて構成できることは明白である。この発明は、添付のクレームによって限定される以外には、それの特定実施態様によって制約されない。
【産業上の利用可能性】    以上のように、本発明に係るネットワークシステムは、ネットワーク接続された複数の被制御装置及び制御装置から構築されるネットワークシステム装置として有用である。
【図１】
2005018223.tif 000002
【図２】
2005018223.tif 000003
【図３】
2005018223.tif 000004
【図４】
2005018223.tif 000005
【図５】
2005018223.tif 000006
【図６】
2005018223.tif 000007
【図７】
2005018223.tif 000008
【図８】
2005018223.tif 000009
【図９】
2005018223.tif 000010
【図１０】
2005018223.tif 000011
【図１１】
2005018223.tif 000012
【図１２】
2005018223.tif 000013
【図１３】
2005018223.tif 000014
【図１４】
2005018223.tif 000015
【図１５】
2005018223.tif 000016
【図１６】
2005018223.tif 000017
【図１７】
2005018223.tif 000018
【図１８】
2005018223.tif 000019
【手続補正書】
【提出日】平成17年12月7日(2005.12.7)
【手続補正１】
【補正対象書類名】図面
【補正対象項目名】図１０
【補正方法】変更
【補正の内容】
【図１０】
2005018223.tif 000020
【国際調査報告】
2005018223.tif 000021
2005018223.tif 000022
2005018223.tif 000023